(57)【要約】【課題】小型かつ構造が簡単なスイッチ機構を提供すること。【解決手段】スイッチプランジャ２は、カム４の回転により移動し、カム４は、アクチュエータ２０の挿入により回転する。スイッチプランジャ２の表面に偏らされるロッキングピン１５と、ロック位置と開放位置との間で移動可能なロッキングアーム１９とを備える。ロッキングピン１５が偏らされるスイッチプランジャ２の表面は、スイッチプランジャ２の第２から第１の位置への動きでロッキングピン１５を移動させるように形成された、テーパ状の環状の肩部の輪郭を有する。ロック位置にあるロッキングアーム１９は、ロッキングピン１５の移動を輪郭によって妨げ、これにより、プランジャ２の第２から第１の位置への移動を妨げる。電圧が印加されたソレノイドにより、ロッキングアーム１９がアンロック位置に移動されない限り、アクチュエータ２０の移動が妨げられる。【選択図】　図１
2004022549.tif 000002
【特許請求の範囲】
【請求項１】
ハウジング内に搭載され、第１のアンロック位置と第２の位置との間で、予め定められた軸方向に、上記ハウジングに対して移動可能なスイッチプランジャと、
上記スイッチプランジャを上記第２の位置でロックするためのロック機構と、上記第１と第２の位置の間のスイッチプランジャの動きによって作動されるスイッチ機構と
を備えるロック可能なスイッチ機構であって、
上記ロック機構は、上記スイッチプランジャの表面に対して偏らされた少なくとも１つの第１ロッキング部材と、ロック位置と開放位置との間で移動可能な少なくとも１つの第２ロッキング部材を備え、
上記第１ロッキング部材が偏らされている上記スイッチプランジャの表面は、このスイッチプランジャの第２の位置から第１の位置への動作により、上記第１のロッキング部材を移動させるような輪郭をなしており、
上記第２ロッキング部材は、ロック位置において、上記第１ロッキング部材の移動を輪郭によって妨げ、これにより、上記プランジャの第２の位置から第１の位置への動きを妨げることを特徴とするロック可能なスイッチ機構。
【請求項２】
請求項１に記載のロック可能なスイッチ機構において、
上記第１ロッキング部材は、上記スイッチプランジャの移動の軸に対して横断方向に延在するロッキングピンを備え、このロッキングピンは、上記スイッチプランジャに向って、上記スイッチプランジャの軸に対して直角方向に、バネで偏らされていることを特徴とするロック可能なスイッチ機構。
【請求項３】
請求項２に記載のロック可能なスイッチ機構において、
上記スイッチプランジャに相対して配置された２つのロッキングピンを備えることを特徴とするロック可能なスイッチ機構。
【請求項４】
請求項３に記載のロック可能なスイッチ機構において、
上記２つのロッキングピンは、上記スイッチプランジャが貫通して延びる開口を規定しているハウジングアッセンブリに搭載され、
上記ロッキングピンは、上記ハウジングアッセンブリに支持されたバネによって、上記開口の相対する方向から互いに向ってバネで偏らされていることを特徴とするロック可能なスイッチ機構。
【請求項５】
請求項３に記載のロック可能なスイッチ機構において、
上記ハウジングアッセンブリは、上記ロッキングピンとバネを受けるフレームと、上記ロッキングピンとバネをアッセンブリ中に保持するカバープレートとを備えることを特徴とするロック可能なスイッチ機構。
【請求項６】
請求項２乃至５のいずれか１つに記載のロック可能なスイッチ機構において、
上記輪郭は、上記スイッチプランジャの周りに延在する環状の肩部によって画定されることを特徴とするロック可能なスイッチ機構。
【請求項７】
請求項１乃至６のいずれか１つに記載のロック可能なスイッチ機構において、
上記ロッキング部材は、上記スイッチプランジャの軸と平行な方向に移動可能なロッキングアームを備え、このロッキングアームは、ロック位置にあるとき、上記第１ロッキング部材が上記スイッチプランジャの軸から遠ざかる方向に移動することを妨げるために、上記スイッチプランジャから遠い第１ロッキング部材の側に延在することを特徴とするロック可能なスイッチ機構。
【請求項８】
請求項７に記載のロック可能なスイッチ機構において、
上記ロッキングアームは、ロック位置にあるとき、上記第１ロッキング部材に接触するテーパ面を画定し、このテーパ面は、上記ロッキングアームが開放位置に移動されたとき、上記ロッキングアームの開放を促進するように形成されていることを特徴とするロック可能なスイッチ機構。
【請求項９】
請求項７または８に記載のロック可能なスイッチ機構において、
上記２つのロッキングアームは、上記スイッチプランジャに関する各々のロッキングピンの移動をロックするように形成されていることを特徴とするロック可能なスイッチ機構。
【請求項１０】
請求項９に記載のロック可能なスイッチ機構において、
上記ロッキングアームはソレノイドプランジャの一端から延びており、このソレノイドプランジャは、上記スイッチプランジャの一端に配置されていると共に、ソレノイドハウジング中に巻かれているソレノイドによってスイッチプランジャの軸方向に移動可能になっていることを特徴とするロック可能なスイッチ機構。
【請求項１１】
請求項１０に記載のロック可能なスイッチ機構において、圧縮バネが、スイッチおよびソレノイドプランジャを偏らせて互いに隔てるように、これらのプランジャの間に配置されていることを特徴とするロック可能なスイッチ機構。
【請求項１２】
請求項１０または１１に記載のロック可能なスイッチ機構において、
圧縮バネが、上記ソレノイドプランジャをスイッチプランジャに向って偏らせるように、上記ソレノイドプランジャとソレノイドハウジングの間に配置されていることを特徴とするロック可能なスイッチ機構。
【請求項１３】
請求項１乃至１２のいずれか１つに記載のロック可能なスイッチ機構において、
上記スイッチプランジャは、この機構へのアクチュエータの挿入により基準位置から回転可能なカムに向って偏らされており、このカムは、上記基準位置に回転されない限り上記アクチュエータの移動を妨げるように、このアクチュエータに噛み合っており、上記スイッチプランジャがカムによって第２の位置に移動され、かつ、上記第２ロッキング部材がロック位置に移動された場合、上記アクチュエータの移動を妨げるようになっていることを特徴とするロック可能なスイッチ機構。
【発明の詳細な説明】
【０００１】
【発明の属する技術分野】
本発明は、例えば、予め定められた状況が確立されるまで扉が開くことを妨げる機械用安全装置に用いられる、ロック可能なスイッチ機構に関する。
【０００２】
【従来の技術】
ロック可能なスイッチ機構は、米国特許第５，７７７，２８４号（特許文献１）に記載されている。この機構はスイッチプランジャを備え、このスイッチプランジャは、ハウジング内に搭載され、第１のアンロック位置と第２のロック位置との間で、予め定められた軸に沿って、上記ハウジングに対して移動可能になっている。
ロック機構は、上記スイッチプランジャを第２の位置にロックするように形成されており、上記スイッチプランジャは、上記第１と第２の位置の間におけるスイッチプランジャの動作の結果、上記スイッチ機構を作動させる。上記ロック機構は、旋回可能に搭載された２つのラッチを備え、このラッチは、標準的には、上記プランジャが第２の位置に動いた場合に、上記スイッチプランジャによって画定されて軸方向に面する表面の後ろ側に噛み合うように、上記スイッチプランジャに対して傾いている。
【０００３】
【特許文献１】
米国特許第５，７７７，２８４号明細書
【０００４】
【発明が解決しようとする課題】
しかしながら、上記従来のスイッチ機構は、上記スイッチプランジャの横断方向に延在するプレートがラッチ開放位置に移動された場合、上記ラッチは、上記スイッチプランジャの軸方向の移動を可能にするように、引きこまれるのみである。上記ラッチ開放プレートはレバー機構によって駆動され、このレバー機構は、上記スイッチ機構ハウジングの一方の側に配置されたソレノイドによって位置が制御される。この装置は、良好に働くが、比較的大きく、複雑である。
【０００５】
本発明の目的は、改良されたロック可能なスイッチ機構を提供することにある。
【０００６】
【課題を解決するための手段】
本発明によれば、ハウジング内に搭載され、第１のアンロック位置と第２の位置との間で、予め定められた軸方向に、上記ハウジングに対して移動可能なスイッチプランジャと、上記スイッチプランジャを上記第２の位置でロックするためのロック機構と、上記第１と第２の位置の間のスイッチプランジャの動きによって作動されるスイッチ機構とを備えるロック可能なスイッチ機構であって、上記ロック機構は、上記スイッチプランジャの表面に対して偏らされた（ｂｉａｓｅｄ）少なくとも１つの第１ロッキング部材と、ロック位置と開放位置との間で移動可能な少なくとも１つの第２ロッキング部材を備え、上記第１ロッキング部材が偏らされている上記スイッチプランジャの表面は、このスイッチプランジャの第２の位置から第１の位置への動作により、上記第１のロッキング部材を移動させるような輪郭をなしており、上記第２ロッキング部材は、ロック位置において、上記第１ロッキング部材の移動を輪郭によって妨げ、これにより、上記プランジャの第２の位置から第１の位置への動きを妨げることを特徴とするロック可能なスイッチ機構が提供される。
【０００７】
米国特許第５，７７７，２８４号に記載された機構に対して、本発明の機構は、第２のロッキング部材がロック位置に移動しない限り、上記スイッチプランジャの軸方向の移動を妨げない、第１のロッキング部材に依っている。これは、ラッチを開放する比較的複雑な機構よりも、比較的簡単で小型の機構が提供され、この機構は、上記第１ロッキング部材を、上記スイッチプランジャの軸方向の移動が妨げられる第１の位置と、上記第１ロッキング部材が上記スイッチプランジャの軸方向の動きにより簡単に移動される第２の位置とに維持するように配置可能である。全ての必要な部品は、上記スイッチプランジャの軸と共通の軸に沿って、コンパクトにかつ信頼性あるアッセンブリに配列される。
【０００８】
好ましくは、上記第１ロッキング部材は、上記スイッチプランジャの移動の軸に対して横断方向に延在するロッキングピンを備え、このロッキングピンは、上記スイッチプランジャに向って、上記スイッチプランジャの軸に対して直角方向に、バネで偏らされている。２つのロッキングピンは、上記スイッチプランジャに相対して配置されていてもよい。上記ロッキングピンは、スイッチプランジャが貫通して延びる開口を規定しているハウジングアッセンブリに搭載されていてもよく、この場合、上記ロッキングピンは、上記ハウジングアッセンブリに支持されたバネによって、上記開口の相対する方向から互いに向ってバネで偏らされる。上記ハウジングアッセンブリは、上記ロッキングピンとバネを受けるフレームと、上記ロッキングピンとバネをアッセンブリ中に保持するカバープレートとを備えてもよい。
【０００９】
上記輪郭は、上記スイッチプランジャの周りに延在する環状の肩部によって画定される。この肩部は、この機構がロック状態でない場合、上記ロッキングピンを迅速に持ち上げてスイッチプランジャから離すことができるように、テーパ形状にされていてもよい。上記ロッキング部材は、上記スイッチプランジャの軸と平行な方向に移動可能なロッキングアームを備えてもよく、このロッキングアームは、ロック位置にあるとき、上記第１ロッキング部材が上記スイッチプランジャの軸から遠ざかる方向に移動することを妨げるために、上記スイッチプランジャから遠い第１ロッキング部材の側に延在する。２つのロッキングアームは、各々のロッキングピンが上記スイッチプランジャの軸に関して移動するのをロックするように、設けられてもよい。上記ロッキングアームはソレノイドプランジャの一端から延びていてもよく、このソレノイドプランジャは、上記スイッチプランジャの一端に配置されていると共に、ソレノイドハウジング中に巻かれているソレノイドによってスイッチプランジャの軸方向に移動可能になっている。上記ソレノイドは、電圧が印加されると上記ロッキングアームがロック位置から移動されるように形成するか、あるいは、電圧が印加されると上記ロッキングアームがロック位置に移動されるように形成してもよい。
【００１０】
圧縮バネが、スイッチおよびソレノイドプランジャを偏らせて互いに隔てるように、これらのプランジャの間に配置されていてもよく、また、圧縮バネが、上記ソレノイドプランジャをスイッチプランジャに向って偏らせるように、上記ソレノイドプランジャとソレノイドハウジングの間に配置されていてもよい。この機構にアクチュエータを挿入し、上記スイッチプランジャがカムの回転によって基準位置から軸方向に移動させられてもよく、上記カムが基準位置に回転して戻る場合のほかは上記アクチュエータの引き込みが妨げられて、上記第２ロッキング部材がロック位置にある場合は、そのような回転がロック機構によって妨げられる。
【００１１】
【発明の実施の形態】
以下、本発明の実施形態が、添付の図面を参照して、例示によって説明される。
【００１２】
図１を参照すると、図示されたロック可能スイッチ機構はハウジング１を備え、このハウジング１中でプランジャ２が摺動可能になっており、また、上記ハウジング１は、ピン５の回りに回転可能なカム４を支持するヘッドアッセンブリ３を支持している。上記プランジャ２は、外側ケーシング６を指示する金属コアを備え、シーリングキャップ７に摺動可能に収容されている。上記プランジャ２は、長軸回りに対称であり、その軸方向に、上記ハウジング１に対して摺動可能になっている。
【００１３】
上記プランジャ２の上記カム４から遠い側の端は、孔８の中に収容されており、この孔８の中には、矢印１０で示された方向に上記プランジャ２を偏らせるための圧縮バネ９が設けられている。上記孔８は、ソレノイドハウジング１２の中に収容されたソレノイドプランジャ１１の端部に形成されている。上記ソレノイドハウジング１２中のソレノイド巻線（図示せず）への電圧の印加が、ソレノイドプランジャ１１を図１の右方向に追いやる。上記ソレノイドの電源の切断により、上記ソレノイドプランジャ１１が圧縮バネ１３（図２）で図１の左側に移動される。この圧縮バネ１３は、上記ソレノイドハウジング１２とロッキングフォーク１４との間に配置されており、上記ロッキングフォーク１４は、上記孔８が形成されたソレノイドプランジャ１１の端を取り巻いて延びる溝の中に、嵌合している。
【００１４】
２つのロッキングピン１５が、上記プランジャ２の両方の側に配置されており、このロッキングピン１５は、上記プランジャ２に対してバネ１６によって偏らされている。上記ロッキングピン１５とバネ１６は、フレーム１７とカバープレート１８とからなるハウジングアッセンブリの中に、保持されている。上記プランジャ２が図１に示された位置にある状態では、上記ピン１５は上記プランジャ２の軸から離れて保持されていて、上記ピン１５は、上記ロッキングフォーク１４に支持されたアーム１９の矢印１０の方向への通過を妨げる。
【００１５】
図２は、カム４の回転を起こすためにアクチュエータ２０をヘッドアッセンブリ３に挿入した後の図１のアッセンブリを示している。そのようなカム４の回転は、上記プランジャ２がピン５に向って動くことを可能にする。その結果、上記プランジャ２の環状肩部が有する形状の輪郭が、ロッキングピン１５の左側に移動する。上記ロッキングピン１５は、上記プランジャ２と接触したままであるように、互いに向って偏らされており、これによって、上記ロッキングフォーク１４のアーム１９がロッキングピン１９を通過することを可能にしている。
【００１６】
上記アクチュエータ２０とカム４は、上記アクチュエータのヘッドアッセンブリ３への挿入が、カムの基準位置からの回転を起こすように形成されており、この基準位置は図１に示されたカム４の位置である。公知の方法により、上記アクチュエータは、（図２に示すように）カム４に画定された凹所に噛み合う突起物を規定する（図示せず）。したがって、上記カム４が上記基準位置からいったん回転すると、上記アクチュエータ２０は、上記カム４が回転して上記基準位置に戻らない限り、上記ヘッドアッセンブリ３から引き出されない。この一般的なタイプのアクチュエータおよびカム機構は、上述の米国特許第５，７７７，２８４号に記載されている。
【００１７】
図３および４は、アンロック状態でのアッセンブリを示している。図３では、上記ソレノイドプランジャ１１はソレノイドに電圧が印加された場合に採られる位置に動かされており、上記プランジャ２は、上記カム４によって可能な限りソレノイドハウジング１２に近づくように移動された位置にある。その結果、上記ピン１５の間のスペースは、上記ソレノイドの電源が切断されても、上記アーム１９がピン１５を越えて移動することができないようなスペースになっている。
したがって、上記ピン１５は、上記プランジャ２の軸方向の移動の際に、拘束力を全く負わせない。対称的に、図５および６に示されるように、上記プランジャ２を移動するように上記カム４が回転され、上記ピン１５がプランジャ２に定義された輪郭をなす肩部２１に落ちるようになると、上記バネ１６は、上記肩部２１の背後に噛み合うように、ロッキングピン１５を互いに向って追いやる。そして、上記ソレノイドの電源の切断は、上記アーム１９がピン１５を越えて延び、上記アーム１９がピン１５の互いに遠ざかる動きを妨げる結果となる。したがって、上記プランジャ２をソレノイドハウジング１２に向って動かそうとするいかなる試みも、上記ピンが輪郭２１とアーム１９との間で妨害される結果、阻止される。
【００１８】
図７は、上記カムピン５に向ってプランジャ２が移動した後のアッセンブリを示す図である。上記ソレノイドに電圧が印加されない限り、上記ロッキングフォーク１４のアーム１９は、図５および６に示されるように、上記ピン１５の周囲に係止する。しかしながら、図７に示された配置では、上記ソレノイドは電圧が印加されて、アーム１９を右側に移動している。ここでは、上記ロッキングピン１５が、バネ１６によって与えられる偏りの力に抗して、互いに離れるように動かされることを妨げるものは、何もない。このように、上記アクチュエータ２０がヘッドアッセンブリ３に引き込まれると、上記プランジャ２の図７において右側への移動を結果として生じ、そのような動きは、上記肩部２１のテーパ状にされた表面が、上記２つのロッキングピン１５を押し動かして互いに遠ざけることによって、可能になる。
【００１９】
図８は、上記アッセンブリが図２に示す配列であって、上記ピン１５の位置がアーム１９によってロックされている場合に、上記アクチュエータ２０を引き込もうとする試みがなされた場合を示す図である。上記アクチュエータ２０での引張りは、上記カム４を図８における時計回りに回転させ、これによって、上記プランジャ２に軸方向の力を与えて、このプランジャを矢印２２の方向に動かそうとする。しかしながら、そのような移動は、上記輪郭２１を圧迫するロッキングピン１５によって、妨げられる。上記アーム１９は、上記ピン１５の互いに離れる動きを妨げ、したがって、上記プランジャ２のさらなる軸方向の移動が妨げられる。
【００２０】
これに対して、上記アーム１９を図７に示された位置に移動するように、上記ソレノイドに電圧が印加され、そして、上記アクチュエータ２０がヘッドアッセンブリ３から引き出される場合、上記カム４の回転は、上記ピン１５と輪郭２１との間の接触によっては妨げられず、その結果、上記プランジャ２は、図９に示された矢印２３の方向に移動される。
【００２１】
図１０は、上記ロッキングピン１５とバネ１６のためのハウジングアッセンブリを図解したものであり、図１１は、図１０のアッセンブリの部品を分解状態で示した図である。
【００２２】
図１２は、ソレノイドプランジャ１１の断面図であり、孔８と、この孔８が設けられたプランジャ１１の端部の回りに延在する溝とを示しており、この溝は、図１３および１４に示されたロッキングフォーク１４に噛み合わされる。
【００２３】
図１３および１４を参照すると、ロッキングアーム１９を支持するロッキングフォークは、内側に突出する縁２４を画定してＣ字形状体を有し、この縁は、図１２に示されたソレノイドプランジャ１１の端部の回りに形成された溝に、受け取られる。上記フォークアーム１９の内側面は、ソレノイドに電圧が印加されたとき、上記アーム１９のピン１５との係合が簡単に解除されるように、テーパ状をなしている。
【００２４】
上記プランジャとロッキングフォークの組み合わせの構造では、上記組み合わせを組立てるのは比較的簡単なことである。他の構造においても、上記プランジャ１１と、ロッキングフォークアーム１９を含むロッキングフォーク１７とを１つの構成部品として作製することは、当然、可能である。
【００２５】
図１から１４の実施形態では、ロック機構を解除するために、上記ソレノイドへの電圧の印加が必要である。上記ロック機構の解除が求められるときは、上記ソレノイドは電圧の印加を受けていない。上記機構がロックされているときに停電が発生した場合、上記機構は解除することが不可能になり、したがって、上記アクチュエータをカムから開放することができない。上記アクチュエータは、電源の供給が回復した後に、解除できるのみである。これは、実際の適用によっては、重大な不都合となり得る。図１５から１７は、本発明の第２の実施形態を説明する図であり、このような不都合が、スイッチがロックされる場合に電圧が印加され、スイッチロック機構が解除されるときに電源が遮断されるソレノイドによって回避されている。
【００２６】
図１５から１７を参照すると、図１から１４に示された第１実施形態の部品と同等の第２実施形態の部品は、同じ参照番号で明らかにされている。したがって、第２実施形態において、プランジャ２が圧縮バネ９によってカム４に偏らされている。上記プランジャ２は、バネ１６によってプランジャ２の側面に偏らされた１組のロッキングピン１５の間に、配置されている。上記プランジャは、このプランジャ２が、カムの回動するピン５に向って移動されたときに、ロッキングピン１５が背後に係止する肩部２１を画定している。図１５は、上記カムを回転するためにアクチュエータをアッセンブリに挿入する前の、ロック機構を示している。この構成では、上記ロッキングピン１５は肩部２１の背後に噛み合うことができない。図１６は、上記カム４の回転の結果、上記プランジャ２が移動した後の機構を示す図である。この構成では、上記ピン１５は、上記肩部２１の背後に係止するように、バネ１６によって内側に偏らされている。図１６は、ロッキングフォーク１４が移動した後のロッキングピン１５を示しており、ロッキングアーム１９が上記ロッキングピン１５の外側に延在し、これによって、上記ロッキングピン１５が外側に動くことを妨げている。したがって、図１６に示された状態では、上記プランジャ２は、図１６における右側には動かされない。そのような動きは、上記肩部２１とロッキングピン１５との相互の噛み合いによって妨げられるからである。
【００２７】
上記ロッキングフォーク１４は、ソレノイドプランジャ１１に搭載されており、圧縮バネ１３によってカム４に向って偏らされている。上記ソレノイドの電源が切断されると、上記バネ１３によって、確実に、上記ロッキングアーム１９が移動されてロッキングピン１５から離れる。したがって、この機構はアンロックされて、上記プランジャ２の軸方向の移動は妨げられない。上記ソレノイド２に電圧が印加されると、上記プランジャ１１は図１６の右側に駆動され、上記プランジャ２が図１６に示す位置にあるという条件で、上記ロッキングアーム１９がロッキングピン１５の外側に係止可能になり、その結果、この機構をロックする。
【００２８】
図１５および１６に図示された構成で、上記ソレノイドに電圧が印加されている間のみ、上記スイッチがロックされたままとなる。この機構がアンロックされることが望まれる場合、単に、上記ソレノイドの電源が遮断される。このような構成により、停電時に、この機構は自動的にアンロックされという評価が得られる。実際の適用によっては、これは、重要な利点である。これに対して、図１から１４に図示された機構では、機構のアンロックにはソレノイドの電圧の印加が必要であり、したがって、停電時にはアクチュエータ２０をカム４から開放することが不可能になる。
【００２９】
図１７は、図１５および１６の実施形態のロッキングフォーク１４の構造を、より詳細に図示している。上記ロッキングアーム１９は、ロッキングフォーク１４のＬ字型の伸長部２５に搭載されており、上記ロッキングフォーク１４は、内側に突出した縁を確定してＣ字型の本体を画定しており、上記縁は、上記ソレノイドプランジャ１１の端部の周りに形成された溝の中に受け取られる。
【図面の簡単な説明】
【図１】図１は、スイッチがアンロック状態である本発明によるロッキングスイッチ機構の概略断面図である。
【図２】図２は、機構を切り換えるためのアクチュエータを挿入した後の図１の機構と、機構のロックを説明する図である。
【図３】図３は、図１および２の機構の幾つかの部品の部分透視図であり、これらの部品が、図１に示されたようにスイッチがアンロックされたときに採られる位置を示している。
【図４】図４は、図３の部品の側面図である。
【図５】図５は、図３および４に示された部品の部分透視図であり、これらの部品は、図２に対応するスイッチロック位置にある。
【図６】図６は、図５に示された部品の側面図である。
【図７】図７は、アクチュエータの挿入の後であり、機構がロックする前である図１〜６の機構を示した図である。
【図８】図８は、機構がロックされたときにアクチュエータを引き込む力の作用を示す図である。
【図９】図９は、アンロックした後の機構であり、アクチュエータの部分的な引き込み状態を示す図である。
【図１０】図１０は、ロック機構の組み立てられた部品の斜視図である。
【図１１】図１１は、図１０の組立品を構成する部品の分解図である。
【図１２】図１２は、図１〜１１の機構に結合されたソレノイドプランジャの断面図である。
【図１３】図１３は、図１〜１２の機構に結合されたソレノイドロッキングフォークの斜視図である。
【図１４】図１４は、図１３のソレノイドロッキングフォークの断面図である。
【図１５】図１５は、スイッチがアンロック状態である本発明による第２のロックスイッチ機構の概略断面図である。
【図１６】図１６は、アクチュエータの挿入の後である図１５の機構を示し、機構のロック状態を示す図である。
【図１７】図１７は、図１５および１６に結合されたロッキングフォークの斜視図である。
【符号の説明】
１　ハウジング
２　プランジャ
３　ヘッドアッセンブリ
４　カム
５　ピン
６　外側ケーシング
７　シーリングキャップ
８　孔
９　圧縮バネ
１０　矢印
１１　ソレノイドプランジャ
１２　ソレノイドハウジング
１５　ロッキングピン
１６　バネ
１７　フレーム
１８　カバープレート
１９　アーム
【図１】
2004022549.tif 000003
【図２】
2004022549.tif 000004
【図３】
2004022549.tif 000005
【図４】
2004022549.tif 000006
【図５】
2004022549.tif 000007
【図６】
2004022549.tif 000008
【図７】
2004022549.tif 000009
【図８】
2004022549.tif 000010
【図９】
2004022549.tif 000011
【図１０】
2004022549.tif 000012
【図１１】
2004022549.tif 000013
【図１２】
2004022549.tif 000014
【図１３】
2004022549.tif 000015
【図１４】
2004022549.tif 000016
【図１５】
2004022549.tif 000017
【図１６】
2004022549.tif 000018
【図１７】
2004022549.tif 000019